(57)【要約】      （修正有）【課題】発光ダイオードの光により華やかさを演出するとともに、その配線が目立たない装飾照明具が取り付けられた衣装又は身飾品を提供する。【解決手段】衣装又は身飾品は、電源と発光ダイオード２１とが極細のリード線２２で接続された装飾照明具２を取り付けて構成する。各種衣装、又は髪飾り、コサージュなどの身飾品に取り付けられた装飾照明具の電源と発光ダイオードとが極細のリード線で接続されているので、リード線による配線自体を目立たなくすることができる。したがって、使用者が装飾照明具が取り付けられた各種衣装や髪飾り、コサージュ等の身飾品を間近で見た際にも配線が目障りにならない。そして、各種衣装や髪飾り、コサージュ等の身飾品において、発光ダイオードの光による華やかさを演出することができる。【選択図】図４
0003149934.tif 000002
【実用新案登録請求の範囲】
【請求項１】
電源と発光ダイオードとが極細のリード線で接続された装飾照明具を外部から配線が目立たないようにして取り付けた衣装又は身飾品。
【請求項２】
リード線及び発光ダイオードは、防水加工が施された請求項１記載の衣装又は身飾品。
【請求項３】
リード線の直径は０．２ｍｍ以下とした請求項１又は２記載の衣装又は身飾品
【考案の詳細な説明】
【技術分野】
【０００１】
この考案は、装飾照明具が取り付けられた衣装又は髪飾り、コサージュなどの身飾品に関するものである。
【背景技術】
【０００２】
パーティー用ドレスやステージ衣装等の各種衣装、また、コサージュ、髪飾り等の身飾品は、その素材の選択や全体デザインなどで華やかさや美しさが表現されるものであるが、より華やかさ等を演出する場合、これに宝石やラインストーン、電飾などの装飾を更に施すことがある。
【特許文献１】実用新案登録第３１３２８５７号公報
【０００３】
宝石やラインストーンなどを施した場合、その装飾的効果を得るには光が必要となり、暗いところではあまり目立たない。また、明るいところでも反射光による装飾となるので、その輝きは比較的弱いものとならざるを得ない。
他方、電飾を施した場合には光源が自発光するため、暗いところでも明るいところでも比較的目立ち、十分な装飾的効果を得ることができる。
【０００４】
ところで、各種衣装や身飾品に電飾を施すためには電源との配線が必要となる。距離を置いて電飾の施された衣装や身飾品を見るとそれほど配線は気にならないが、これらを実際に使用する者は間近で電飾の施された衣装や身飾品を見ることとなるので、美しくデザインされた衣装やブーケ等から見え隠れする電飾の配線によってあたかも舞台裏が見えてしまったかの如く印象を与え、その美しさが減殺される場合がある。
【考案の開示】
【考案が解決しようとする課題】
【０００５】
この考案は、発光ダイオードの光により華やかさを演出するとともに、その配線が使用者の目障りにならない装飾照明具が取り付けられた衣装又は身飾品を得ることを課題とするものである。
【課題を解決するための手段】
【０００６】
この考案の衣装又は身飾品は、電源と発光ダイオードとが極細のリード線で接続された装飾照明具を外部から配線が目立たないようにして取り付けて構成する。リード線の径は、０．２ｍｍ以下とすることが好ましい（請求項３）。
前記リード線は防水加工を施すのがよい（請求項２）。前記防水加工としては、防水剤を塗布する等の既存の防水加工が考えられる。
【考案の効果】
【０００７】
この考案によれば、各種衣装、又は髪飾り、コサージュなどの身飾品に取り付けられた装飾照明具の電源と発光ダイオードとが極細のリード線で接続されているので、リード線による配線自体を目立たなくすることができる。したがって、使用者が装飾照明具が取り付けられた各種衣装や髪飾り、コサージュ等の身飾品を間近で見た際にも配線が目障りにならない。
そして、各種衣装や髪飾り、コサージュ等の身飾品において、発光ダイオードの光による華やかさを演出することができる。
また、リード線に防水加工を施すものとすれば、生花等水分を含んだ髪飾りやコサージュなどにも安全に用いることができる（請求項２）。
【考案を実施するための最良の形態】
【０００８】
図１は、この考案の髪飾りの実施例である。
髪飾り１は生花やプリザーブドフラワーその他の装飾品を束ねて構成されている。この髪飾り１には、複数の発光ダイオード２１と図示しないボタン型バッテリー及び０．２ｍｍ以下の極細リード線とで構成された装飾照明具が、ボタン型バッテリーを髪飾り１の裏側（土台部分など）に、極細リード線を髪飾り１の各構成パーツ間に這わせ、かつ、複数の発光ダイオード２１間の間隔が適度な間隔を置くようにして取り付けられている。前記複数の発光ダイオードは直列に接続してある。ボタン型バッテリーは髪飾り１の裏側に取り付けられており、リード線の径は０．２ｍｍ以下と極細であり、かつ、髪飾り１の各構成パーツ間を這わせるようにして（リード線を花びらに引っかけて）取り付けてあるので、これらは髪飾り１の外観上目立たず、近くで見ても発光ダイオードの光のみが浮かび上がって見えるので、髪飾り１を華やかに演出することができる。
【０００９】
図２は、この考案のコサージュの実施例であるが、その構成は髪飾りの実施例の場合と同様であり、生花等を束ねて構成されたコサージュ３の裏側（土台部分など）にボタン型バッテリーを取り付け、０．２ｍｍ以下の径の極細リード線を各構成パーツ間に這わせ、かつ、複数の発光ダイオード２１間の間隔が適度な間隔を置くようにして取り付けて構成されている。
【００１０】
図３及び４は、この考案の衣装及び身飾品を用いてコーディネートされたウェディングドレススタイルとしての実施例を示す図である。
ウェディングドレス４の裾部（レース部分）には複数の発光ダイオード２１と０．２ｍｍ以下の径の極細リード線２２と図示しないバッテリーとで構成された装飾照明具２が編み込まれて取り付けられている。発光ダイオード２１の取り付け位置や間隔は使用者の要望に応じて適宜選択でき、図３のように裾部に比較的密集させて取り付けてもよいし、ドレスの任意の位置に散らばらせて取り付けたり、あるいは何らかの模様を描くように取り付けてもよい。
発光ダイオードは消費電力が小さいのでボタン電池などの小型バッテリーで点灯させることができ、ウェディングドレス１の目立たない部位（例えばフリルの裏側や裏地等）に取り付けることができる。
ブーケ５及び髪飾り１にも同様に装飾照明具２が取り付けられている。バッテリーはブーケ３の持ち手部分や髪飾り４の土台部分などに取り付けてある。
【産業上の利用可能性】
【００１１】
この考案は、装飾照明具が取り付けられた衣装又は、髪飾り、コサージュなどの身飾品に関するものであって、産業上の利用可能性を有するものである。
【図面の簡単な説明】
【００１２】
【図１】この考案の髪飾りの実施例を示す図
【図２】この考案のコサージュの実施例を示す図
【図３】この考案の衣装、髪飾りを用いてコーディネートされたウェディングドレススタイルを示す図
【図４】同じく装飾照明具の衣装への取り付け部分の一部を拡大した図
【符号の説明】
【００１３】
１    髪飾り
２    装飾照明具
２１  発光ダイオード
２２  リード線
３    コサージュ
４    ウェディングドレス
５    ブーケ
【図１】
0003149934.tif 000003
【図２】
0003149934.tif 000004
【図３】
0003149934.tif 000005
【図４】
0003149934.tif 000006
【手続補正書】
【提出日】平成21年2月13日(2009.2.13)
【手続補正１】
【補正対象書類名】実用新案登録請求の範囲
【補正対象項目名】請求項１
【補正方法】変更
【補正の内容】
【請求項１】
電源と発光ダイオードとが極細のリード線で接続された装飾照明具を取り付けた衣装又は身飾品であって、
前記電源は衣装又は身飾品の裏側に取り付け、
前記極細リード線は衣装又は身飾品の各構成パーツ間に這わせ、
外部から配線が目立たないようにして取り付けた衣装又は身飾品。
【手続補正２】
【補正対象書類名】明細書
【補正対象項目名】０００６
【補正方法】変更
【補正の内容】
【０００６】
この考案の衣装又は身飾品は、電源と発光ダイオードとが極細のリード線で接続された装飾照明具を、前記電源を衣装又は身飾品の裏側に取り付け、前記極細リード線を衣装又は身飾品の各構成パーツ間に這わせ、外部から配線が目立たないように取り付けて構成する。リード線の径は、０．２ｍｍ以下とすることが好ましい（請求項３）。
前記リード線は防水加工を施すのがよい（請求項２）。前記防水加工としては、防水剤を塗布する等の既存の防水加工が考えられる。